(57)【要約】【課題】雪除けカバー支持部材の取り付けが迅速かつ容易にできる軒樋吊具を提供する。【解決手段】雪除けカバー支持部材１０の下部には、吊具本体３０の吊部３２の上面５４と当接可能な固定部１３を備えており、前記固定部１３の後端部には係止受け部１９が形成され、前端部側の固定部１３には係止受け孔２０が形成されており、吊具本体３０の吊部３２には、固定部１３の係止受け部１９と係止受け孔２０に係止される第一係止部３９と第二係止部４３とが上方に突設されており、第一係止部３９は断面略逆Ｌ字状に形成されており、第二係止部４３は断面略イ字状に形成されており、雪除けカバー支持部材１０を傾倒させた状態で係止受け部１９に第一係止部３９を嵌め込んで雪除けカバー支持部材１０を回転させることにより、第二係止部４３の斜辺部４５が係止受け孔２０に差し込まれて雪除けカバー支持部材１０が吊部３２に固定される。【選択図】図１
2011047182.tif 000002
【特許請求の範囲】
【請求項１】
雪除けカバーを支持する雪除けカバー支持部材と、鼻隠し板に取り付けられる取付部とこの取付部の前方に突設され軒樋を支持する吊部とを有する吊具本体とを備え、前記雪除けカバー支持部材が吊具本体の吊部の上面に固定される軒樋吊具において、
雪除けカバー支持部材の下部には、吊具本体の吊部の上面と当接可能な固定部を備えており、前記固定部の鼻隠し板側または屋外側の一端部が切り欠かれて係止受け部が形成され、他端部側の固定部には厚み方向に貫通する係止受け孔が形成されており、吊具本体の吊部には、固定部の係止受け部に係止される第一係止部と係止受け孔に係止される第二係止部とが上方に突設されており、第一係止部は、断面略逆Ｌ字形状を有し、前記係止受け部よりも幅狭に形成されており、第二係止部は、吊部に立設される脚部と、脚部の上端部に配設され、内側から外側に向かって斜め下方に傾斜する斜辺部とから弾性変形可能に断面略イ字状に形成され、かつ前記係止受け孔に挿入可能に形成されており、雪除けカバー支持部材を傾倒させた状態で固定部の係止受け部に第一係止部を嵌め込んで雪除けカバー支持部材を下方に回転させることにより、第二係止部の斜辺部が係止受け孔に差し込まれて雪除けカバー支持部材が吊具本体の吊部に固定されることを特徴とする軒樋吊具。
【請求項２】
雪除けカバー支持部材の固定部の係止受け孔に挿入されて前記係止受け孔内周面に係止される第三係止部が、第二係止部に対向して吊具本体の吊部の内側に上方に突設されていることを特徴とする請求項１に記載の軒樋吊具。
【発明の詳細な説明】
【技術分野】
【０００１】
本発明は、軒樋吊具に関する。
【背景技術】
【０００２】
従来、軒樋内に落葉等が詰まって雨水が軒樋から溢れたり、積雪地で軒樋に入った雪の自重によって軒樋が破損することがあった。この問題を解決する方法として、屋根先部と軒樋の前壁部上端との間に形成される隙間を覆うように前下方へ傾斜した雪除けカバーが取り付けられた軒樋吊具が知られている（例えば、特許文献１）。このような軒樋吊具では、落葉等や屋根先部から滑り落ちる積雪が雪除けカバーの上面を滑り伝って軒樋の外部前方に落下するため、軒樋内に落葉等が詰まって雨水が溢れたりすることはなく、また雪の自重によって軒樋が破損することもない。
【先行技術文献】
【特許文献】
【０００３】
【特許文献１】特開平７−６２８１６号公報
【発明の概要】
【発明が解決しようとする課題】
【０００４】
雪除けカバーは、雪除けカバー支持部材によって支持されており、この雪除けカバー支持部材は、鼻隠し板に取り付けられる取付部とこの取付部の前方に突設され軒樋を支持する吊部とを有する吊具本体の吊部の上面に略垂直に立設されて固定されている。ここで、雪除けカバー支持部材の吊具本体の吊部上面への取り付けは、水平方向に折曲した雪除けカバー支持部材の下端片部を六角ボルトと蝶ナットにより吊具本体の吊部上面に重合結合させるものであるが、その取り付け作業は、雪除けカバー支持部材を保持しながら雪除けカバー支持部材と吊具本体の吊部のそれぞれに形成されている取付孔の位置合わせをおこない、六角ボルトを取付孔に挿入してねじ部を突出させ、その突出したねじ部に蝶ナットを螺合するものであるため、作業効率が悪いという問題があった。
【０００５】
本発明は以上の通りの事情に鑑みてなされたものであり、雪除けカバー支持部材の取り付けが迅速かつ容易にできる軒樋吊具を提供することを課題としている。
【課題を解決するための手段】
【０００６】
本発明は以下のことを特徴としている。
【０００７】
第１には、雪除けカバーを支持する雪除けカバー支持部材と、鼻隠し板に取り付けられる取付部とこの取付部の前方に突設され軒樋を支持する吊部とを有する吊具本体とを備え、前記雪除けカバー支持部材が吊具本体の吊部の上面に固定される軒樋吊具において、雪除けカバー支持部材の下部には、吊具本体の吊部の上面と当接可能な固定部を備えており、前記固定部の鼻隠し板側または屋外側の一端部が切り欠かれて係止受け部が形成され、他端部側の固定部には厚み方向に貫通する係止受け孔が形成されており、吊具本体の吊部には、固定部の係止受け部に係止される第一係止部と係止受け孔に係止される第二係止部とが上方に突設されており、第一係止部は、断面略逆Ｌ字形状を有し、前記係止受け部よりも幅狭に形成されており、第二係止部は、吊部に立設される脚部と、脚部の上端部に配設され、内側から外側に向かって斜め下方に傾斜する斜辺部とから弾性変形可能に断面略イ字状に形成され、かつ前記係止受け孔に挿入可能に形成されており、雪除けカバー支持部材を傾倒させた状態で固定部の係止受け部に第一係止部を嵌め込んで雪除けカバー支持部材を下方に回転させることにより、第二係止部の斜辺部が係止受け孔に差し込まれて雪除けカバー支持部材が吊具本体の吊部に固定される。
【０００８】
第２には、上記第１の発明において、雪除けカバー支持部材の固定部の係止受け孔に挿入されて前記係止受け孔内周面に係止される第三係止部が、第二係止部に対向して吊具本体の吊部の内側に上方に突設されている。
【発明の効果】
【０００９】
第１の発明によれば、雪除けカバー支持部材を傾倒させた状態で固定部の係止受け部に第一係止部を嵌め込んで雪除けカバー支持部材を下方に回転させることにより、第二係止部の斜辺部が係止受け孔の上面側開孔縁にワンタッチで係止されるので、雪除けカバー支持部材の取り付けが迅速かつ容易であり、現場作業効率が向上する。また、取り外しも容易である。雪除けカバー支持部材取り付けのための六角ボルト及び蝶ナット等の固着具が不要であり部品点数を削減できるので、低コストな軒樋吊具が得られる。
【００１０】
第２の発明によれば、上記第１の発明の効果に加えて、雪除けカバー支持部材が吊具本体の吊部に取り付けられた状態において、吊具本体の吊部に設けられた第三係止部により、雪除けカバー支持部材の前後方向の動きが規制される。したがって、雪除けカバー支持部材の位置ずれが抑制され、より安定した取り付け状態が実現される。
【図面の簡単な説明】
【００１１】
【図１】本発明の一実施形態である軒樋吊具の設置状態を示す側面図である。
【図２】図１の軒樋吊具の雪除けカバー支持部材の斜視図である。
【図３】図１の軒樋吊具の吊具本体の斜視図である。
【図４】雪除けカバー支持部材の吊具本体への取り付けを説明するための図である。
【図５】図４のＡ部の拡大側面図である。
【発明を実施するための形態】
【００１２】
図１は、本発明の一実施形態である軒樋吊具の設置状態を示す側面図であり、図２は図１の軒樋吊具の雪除けカバー支持部材の斜視図であり、図３は図１の軒樋吊具の吊具本体の斜視図である。図４は、雪除けカバー支持部材の吊具本体への取り付けを説明するための図であり、図５は、図４のＡ部の拡大側面図である。
【００１３】
図１に示すように、軒樋２は、平板状の底壁部３と、底壁部３の一端から斜め上方に延設される前壁部４と、底壁部３の他端から略垂直上方に延設され、前壁部４よりやや高さの低い後壁部５とを一体に備えている。前壁部４の上端には後方に突出する断面略ロ字形状の前耳部６が形成されており、後壁部５の上端には後方に突出する断面略ロ字形状の後耳部７が形成されている。
【００１４】
本実施形態の軒樋吊具１は、雪除けカバー支持部材１０と吊具本体３０とから形成されている。雪除けカバー支持部材１０と吊具本体３０は別体であり、それぞれ樹脂製である。
【００１５】
雪除けカバー支持部材１０は、吊具本体３０の吊部３２の上面５４に略鉛直方向に配置されて固定され、上部に雪除けカバー６１が取り付けられて軒樋２内への雪や落葉等の浸入が防止される。このような雪除けカバー支持部材１０は、略鉛直方向に延びる平板状の支持部１１と、支持部１１の上部に配設される雪除けカバー受け部１２と、支持部１１の下部に配設される平板状の固定部１３とから一体に形成されている。
【００１６】
雪除けカバー受け部１２は、支持部１１の上端部が後方に屈曲して形成される後受け部１４と、支持部１１の高さ方向の中ほどから前方に突設して上向きに延びる断面略逆Ｌ字状の支持片１５の上端部が前方に屈曲して形成される前受け部１６とを有する。後受け部１４は、屋根勾配に対応して斜め上方に傾斜する勾配を有し、上面が雪除けカバー６１の下面と当接するようになっている。また、前受け部１６も、屋根勾配に対応して斜め下方に傾斜する勾配を有し、上面が雪除けカバー６１の下面と当接するようになっている。
【００１７】
また、支持部１１の後側には、後受け部１４の下端部から固定部１３の上端部にかけて後補強リブ１７が配設されている。後補強リブ１７は板体であり、支持部１１に対して直交するように形成されている。さらに、支持部１１の前側にも、支持片１５の下端部に前補強リブ１８が配設されている。前補強リブ１８は、略三角形状の板体であり、支持部１１に対して直交するように形成されている。後受け部１４及び前受け部１６の上面に配設される雪除けカバー６１上に積雪してもその積雪荷重に耐えるように、後補強リブ１７と前補強リブ１８によって支持部１１の強度が確保され、雪除けカバー６１の確実かつ安定な支持を実現している。
【００１８】
固定部１３は、支持部１１の下端部の前後両側に吊具本体３０の吊部３２の長手方向に沿って延設されており、吊具本体３０の吊部３２の上面５４と当接可能な下面を有している。固定部１３の後端部には、平面視略凹状に切り欠かれた係止受け部１９が形成されている。係止受け部１９は、後述する吊具本体３０の吊部３２の第一係止部３９よりも幅広であり、この係止受け部１９に第一係止部３９が嵌め込まれて固定部１３の後端部が吊具本体３０の吊部３２に係止される。さらに、固定部１３には、前端部側に、上下に貫通する係止受け孔２０が形成されている。係止受け孔２０は、後述する吊具本体３０の吊部３２の第二係止部４３が挿入可能とされ、前後方向に長い平面視矩形状に形成されており、この係止受け孔２０に第二係止部４３が挿入されて係止受け孔２０の上面側開孔縁の前側部分に係止され、固定部１３の前端部が吊具本体３０の吊部３２に固定される。
【００１９】
吊具本体３０は、略鉛直方向に配置されて鼻隠し板６０に取り付けられる取付部３１と、この取付部３１から前方に略水平に突設され、軒樋２を支持する吊部３２とを一体に備えている。
【００２０】
吊部３２は、略水平に配置される水平部３３と、水平部３３の前端から略垂直に立ち上がる起立部３４とを有している。
【００２１】
起立部３４の上部前側には、軒樋２の前壁部４の前耳部６を係止する前耳係止部３５が配設されており、起立部３４の上部後側には、軒樋２の内側に配設される落葉除けネットを固定するためのフック３６が配設されている。フック３６は、断面略逆Ｌ字形状を有し、前向きに延び、フック３６の内側には抜け止め用の突起３７が起立部３４の上面に対向して突設されており、また、起立部３４の上面にも、フック３６の突起３７に対向して抜け止め用の突起部３８が上方に突設されている。
【００２２】
水平部３３は、上面が平滑面とされ、雪除けカバー支持部材１０の固定部１３が配設されるようになっている。水平部３３には、固定部１３を係止するための第一係止部３９と第二係止部４３が上方に突設されており、第一係止部３９は固定部１３の係止受け部１９に対応する箇所に、第二係止部４３は固定部１３の係止受け孔２０に対応する箇所にそれぞれ設けられている。
【００２３】
第一係止部３９は、水平部３３から略垂直に立ち上がる平板状の立設部４０とその上端部から前方に略水平に延設される平板状の頂部４１とから形成され、断面略逆Ｌ字形状を有している。立設部４０は固定部１３の係止受け部１９よりも幅狭に形成され、かつ、頂部４１が固定部１３上面５４よりも上方に突出するように立設部４０の高さが固定部１３の厚みと同程度であるか、または固定部１３の厚みよりも若干厚くなるように設定されている。このように第一係止部３９の立設部４０が固定部１３の係止受け部１９よりも幅狭に形成されているため、係止受け部１９に立設部４０を嵌め込み可能であり、また、係止受け部１９に立設部４０を嵌め込んだ状態において頂部４１が固定部１３上面５４よりも上方に突出して係止受け部１９の縁部に係止されるようになっている。
【００２４】
また、頂部４１の前端部の左右両側には、内側から外側に向かって斜め後方に傾斜する切欠部４２が形成されている。この切欠部４２は、固定部１３の係止受け部１９への立設部４０の嵌め込みをガイドし、第一係止部３９による固定部１３の係止が確実かつ簡便に行われるようにしている。
【００２５】
第二係止部４３は、水平部３３に立設される脚部４４と、脚部４４の上端部に配設され、内側から外側に向かって、つまり、前方に向かって、斜め下方に傾斜する斜辺部４５とから断面略イ字状に形成されている。脚部４４はやや前方に傾斜している。第二係止部４３は、固定部１３の係止受け孔２０に挿入可能に形成されており、雪除けカバー支持部材１０が吊部３２に固定された状態において、脚部４４が固定部１３の係止受け孔２０の前側部分に配置され、脚部４４よりも前方に位置する斜辺部４５の下端部が固定部１３上面５４よりも上方に突出して係止受け孔２０の上面側開孔縁の前側部分に係止されるようになっている。斜辺部４５は前方に向かって斜め下方に傾斜する勾配を有しているため、固定部１３の係止受け孔２０への下方からの第二係止部４３の挿入が容易に行われるようになっている。このような固定部１３の係止受け孔２０への第二係止部４３の挿入は、第二係止部４３の斜辺部４５が脚部４４の上端部においてのみ支持されていることにより、脚部４４の上端部を支点にして斜辺部４５が矢印ｘ方向または矢印ｙ方向に回動する弾性変形が寄与してもいる。
【００２６】
本実施形態では、斜辺部４５の下端部、つまり、脚部４４より前方に突出した斜辺部４５の部分が鋭角に形成されて係止爪部４６として構成されている。このため、固定部１３の係止受け孔２０に第二係止部４３の下端部が挿入しやすくなり、しかも第二係止部４３の下端部が係止受け孔２０の上面側開孔縁の前側部分により確実に係止されるようになっている。
【００２７】
さらに、本実施形態では、雪除けカバー支持部材１０の固定部１３の係止受け孔２０に挿入されて係止受け孔２０内周面の後側部分に係止される第三係止部４７が、第二係止部４３後側に、第二係止部４３に対抗する位置に水平部３３に突設されている。第三係止部４７は、略垂直に延び、角形の柱状形状を有している。雪除けカバー支持部材１０が吊具本体３０の吊部３２に取り付けられた状態において、水平部３３に設けられた第三係止部４７により、雪除けカバー支持部材１０の前後方向の動きが規制される。したがって、雪除けカバー支持部材１０の位置ずれが抑制され、より安定した取り付け状態が実現される。
【００２８】
吊具本体３０の取付部３１には、前面側に、上下方向の中ほどよりやや下方の位置に軒樋２の後壁部５の後耳部７を係止する後耳係止部４９が配設されている。後耳係止部４９は、断面略逆Ｌ字形状を有し、上向きに延びている。さらに、吊具本体３０の取付部３１には、吊部３２の左右両側および下側に釘、ビスなどの固定具の挿入孔５０，５１，５２が前後に貫通して形成されている。挿入孔５０，５１，５２は、用いる固定具の種類や外径に応じ、また位置調整を可能とするために、互いに異なる形状とされている。例えば、一番上と上から二番目の挿入孔５０，５１は円形状であり、上から２番目の挿入孔５１は、一番上の挿入孔５０よりも内径が大きくなっている。一番下の挿入孔５２は上下方向に伸びる長孔状であり、固定具の挿入位置を可変としている。
【００２９】
以上の軒樋吊具１において、雪除けカバー支持部材１０は次のようにして吊具本体３０に取り付けられる。まず、雪除けカバー支持部材１０の固定部１３の後端部が下方に固定部１３の前端部が上方に位置するように雪除けカバー支持部材１０を傾倒させた状態で固定部１３の係止受け部１９に第一係止部３９の立設部４０を嵌め込み、固定部１３の後端部を吊具本体３０の吊部３２に引っかける。次いで、その状態で係止受け部１９を支点にして固定部１３の下面が吊部３２の上面５４に当接するように矢印Ｍ方向に雪除けカバー支持部材１０を回転させる。カバー支持部材１０を回転させると、固定部１３の係止受け孔２０の下方から第二係止部４３の斜辺部４５がその上端部から差し込まれ、固定部１３の係止受け孔２０の下側前角部５３が第二係止部４３の斜辺部４５の上面に接触する。
【００３０】
そして、さらに回転させると、固定部１３の係止受け孔２０の下側前角部５３が斜辺部４５の上面に接触したまま斜辺部４５の下側部分に移動する。その際、斜辺部４５は固定部１３の係止受け孔２０の下側前角部５３によって上方から荷重を受けることになり、その荷重によって斜辺部４５が矢印ｘ方向に回動するなど第二係止部４３が弾性変形し、雪除けカバー支持部材１０の回転にともない斜辺部４５が係止受け孔２０内に徐々に挿通する。
【００３１】
固定部１３の下面が吊部３２上面に当接すると、斜辺部４５すべてが係止受け孔２０に挿通して固定部１３上面２１よりも上方に突出する。このとき、斜辺部４５は固定部１３の係止受け孔２０の下側前角部５３から受ける荷重から開放されるため、斜辺部４５は矢印ｙ方向に回動してもとの形状にもどり、斜辺部４５の係止爪部４６が係止受け孔２０の上面側開孔縁の前側部分に係止され、固定部１３の前端部が吊部３２に固定される。また、固定部１３の後端部も第一係止部３９で係止されており、吊部３２に固定されている。さらに、第三係止部４７が係止受け孔２０に挿入されて係止受け孔２０内周面の後側部分に係止されるので、雪除けカバー支持部材１０の前後方向の動きが規制され、これによって、雪除けカバー支持部材１０の位置ずれが効果的に抑制され、より安定した取り付け状態が実現される。
【００３２】
雪除けカバー支持部材１０を吊部３２から取り外す場合には、斜辺部４５の上側部分に後方から前方に向かって手指で力を加えて斜辺部４５を矢印ｘ方向に回動させ、その状態で雪除けカバー支持部材１０を固定部１３の係止受け部１９を支点にして矢印Ｍ方向とは逆方向に回転させることによって容易に行うことができる。
【００３３】
以上のように本実施形態では、雪除けカバー支持部材１０を回転させることにより、第二係止部４３の斜辺部４５が係止受け孔２０の上面側開孔縁にワンタッチで係止されるので、雪除けカバー支持部材１０の取り付けが迅速かつ容易であり、現場作業効率が向上する。また、取り外しも容易である。雪除けカバー支持部材１０取り付けのための六角ボルト及び蝶ナット等の固着具が不要であり部品点数を削減できるので、低コストな軒樋吊具１が得られる。
【００３４】
雪除けカバー６１は、下方に開口した開口部６２を有し、断面略コ字状に形成されており、樹脂製または金属製である。雪除けカバー６１は、軒樋２の長手方向に沿って長尺に形成され、複数の軒樋吊具１に立設される雪除けカバー支持部材１０によって長手方向に架設され、また、屋根先部６３と軒樋２の前壁部４上端との間に形成される隙間を覆うように前下方に傾斜して支持される。雪除けカバー６１の雪除けカバー支持部材１０への取り付けは、雪除けカバー支持部材１０の雪除けカバー受け部１２の後受け部１４を雪除けカバー６１の開口部６２の後側部分に差し込んだ状態で雪除けカバー６１を回転させ、雪除けカバー支持部材１０の雪除けカバー受け部１２の前受け部１６に雪除けカバー６１を弾性変形させて開口部６２の前側部分を嵌入する。または、雪除けカバー６１の長手方向の一側端部から雪除けカバー６１の開口部６２の後側部分と前側部分それぞれに雪除けカバー支持部材１０の雪除けカバー受け部１２の後受け部１４と前受け部１６を挿入し、雪除けカバー６１を長手方向にスライドさせることによって取り付けることもできる。
【００３５】
以上の実施形態では、雪除けカバー支持部材の固定部の後端部に係止受け部を設け、前端部側の固定部に係止受け孔を設けが、これに限定されるものではない。例えば、雪除けカバー支持部材の固定部の前端部に係止受け部を設け、後端部側の固定部に係止受け孔を設けてもよい。もちろん、吊具本体の吊部に配設される断面略逆Ｌ字形状の第一係止部および断面略イ字形状の第二係止部はそれぞれ、固定部の係止受け部および係止受け孔に対応した箇所に配設される。
【符号の説明】
【００３６】
１  軒樋吊具
２  軒樋
１０  雪除けカバー支持部材
１３  固定部
１９  係止受け部
２０  係止受け孔
３０  吊具本体
３１  取付部
３２  吊部
３９  第一係止部
４３  第二係止部
４４  脚部
４５  斜辺部
４７  第三係止部
５４  上面
６０  鼻隠し板
６１  雪除けカバー
６３  屋根先部
【図１】
2011047182.tif 000003
【図２】
2011047182.tif 000004
【図３】
2011047182.tif 000005
【図４】
2011047182.tif 000006
【図５】
2011047182.tif 000007